(57)【要約】【目的】２色印刷装置において黒の問題文のみの印刷と、黒の問題文及び赤の解答の印刷とを共に行うドリル印刷において分版パラメータの設定を容易にする。【構成】画面上のチェックボックス５０にチェックするだけで、黒インクの版胴(1) に問題文を振り分け、赤インクの版胴(2) に解答を振り分ける分版パラメータの設定を自動的に行うことができ、設定ミス等を犯すことなく、版胴(1) によって黒の問題文のみが印刷された印刷物と、版胴(1) (2) によって黒の問題文と赤の解答が同一印刷用紙上に印刷された印刷物の双方を容易に得ることができる。【選択図】  図４
2006044107.tif 000002
【特許請求の範囲】
【請求項１】
孔版原紙を製版する製版部と前記製版部で製版された孔版原紙がそれぞれ巻装されて明度が異なる２種類のインクの各々で印刷を行う２つの版胴を有する製版印刷手段と、前記製版印刷手段を制御する制御手段とを備えた孔版印刷システムにおいて、
前記制御手段は、
無彩色からなる主画像と有彩色からなる副画像で構成される原稿画像の印刷を行うに際し、
前記主画像のみが印刷された部分印刷物及び前記主画像と前記副画像が同一印刷用紙上に印刷された全部印刷物の双方を得る特定目的を選択した場合に、
明度が低いインクで印刷を行う一方の前記版胴に前記主画像を振り分けるとともに、明度が高いインクで印刷を行う他方の前記版胴に前記副画像を振り分けるような分版パラメータの設定を自動的に行うように構成されたことを特徴とする孔版印刷システム。
【請求項２】
孔版原紙を製版する製版部と前記製版部で製版された孔版原紙がそれぞれ巻装されて明度が異なる２種類のインクの各々で印刷を行う２つの版胴を有する製版印刷手段と、前記製版印刷手段を制御する制御手段とを備えた孔版印刷システムにおいて、
前記制御手段は、
無彩色からなる主画像と有彩色からなる副画像と無彩色と有彩色を含む色画像とで構成される原稿画像の印刷を行うに際し、
前記主画像及び前記色画像が印刷された一部印刷物及び前記主画像と前記色画像と前記副画像が同一印刷用紙上に印刷された全部印刷物の双方を得る特定目的を選択した場合に、
明度が低いインクで印刷を行う一方の前記版胴に前記主画像と前記色画像を振り分けるとともに、明度が高いインクで印刷を行う他方の前記版胴に前記副画像を振り分けるような分版パラメータの設定を自動的に行うように構成されたことを特徴とする孔版印刷システム。
【請求項３】
孔版原紙を製版する製版部と前記製版部で製版された孔版原紙がそれぞれ巻装されて明度が異なる２種類のインクの各々で印刷を行う２つの版胴を有する製版印刷手段を制御するための制御手段において、
前記制御手段は、
無彩色からなる主画像と有彩色からなる副画像で構成される原稿画像情報の印刷を行うに際し、
前記主画像のみが印刷された部分印刷物及び前記主画像と前記副画像が同一印刷用紙上に印刷された全部印刷物の双方を得る特定目的を選択した場合に、
明度が低いインクで印刷を行う一方の前記版胴に前記主画像を振り分けるとともに、明度が高いインクで印刷を行う他方の前記版胴に前記副画像を振り分けるような分版パラメータの設定を自動的に行うように構成されたことを特徴とする製版印刷手段の制御手段。
【請求項４】
孔版原紙を製版する製版部と前記製版部で製版された孔版原紙がそれぞれ巻装されて明度が異なる２種類のインクの各々で印刷を行う２つの版胴を有する製版印刷手段を制御するための制御手段において、
前記制御手段は、
無彩色からなる主画像と有彩色からなる副画像と無彩色と有彩色を含む色画像とで構成される原稿画像の印刷を行うに際し、
前記主画像及び前記色画像が印刷された一部印刷物及び前記主画像と前記色画像と前記副画像が同一印刷用紙上に印刷された全部印刷物の双方を得る特定目的を選択した場合に、
明度が低いインクで印刷を行う一方の前記版胴に前記主画像と前記色画像を振り分けるとともに、明度が高いインクで印刷を行う他方の前記版胴に前記副画像を振り分けるような分版パラメータの設定を自動的に行うように構成されたことを特徴とする製版印刷手段の制御手段。
【請求項５】
孔版原紙を製版する製版部と前記製版部で製版された孔版原紙がそれぞれ巻装されて明度が異なる２種類のインクの各々で印刷を行う２つの版胴を有する製版印刷手段を制御手段によって制御するための分版プログラムにおいて、
前記制御手段が前記製版印刷手段を制御し、無彩色からなる主画像と有彩色からなる副画像で構成される原稿画像の印刷を行うに際し、
前記主画像のみが印刷された部分印刷物及び前記主画像と前記副画像が同一印刷用紙上に印刷された全部印刷物の双方を得る特定目的が選択された場合に、
前記制御手段に、
明度が低いインクで印刷を行う一方の前記版胴に前記主画像を振り分けるとともに、明度が高いインクで印刷を行う他方の前記版胴に前記副画像を振り分けるような分版パラメータの自動設定の機能を実現させるための分版プログラム。
【請求項６】
孔版原紙を製版する製版部と、前記製版部で製版された孔版原紙がそれぞれ巻装されて明度が異なる２種類のインクの各々で印刷を行う２つの版胴を有する製版印刷手段を制御手段によって制御するための分版プログラムにおいて、
前記制御手段が前記製版印刷手段を制御し、無彩色からなる主画像と有彩色からなる副画像と無彩色と有彩色を含む色画像とで構成される原稿画像の印刷を行うに際し、
前記制御手段に、
前記主画像及び前記色画像が印刷された一部印刷物及び前記主画像と前記色画像と前記副画像が同一印刷用紙上に印刷された全部印刷物の双方を得る特定目的を選択した場合に、
明度が低いインクで印刷を行う一方の前記版胴に前記主画像と前記色画像を振り分けるとともに、明度が高いインクで印刷を行う他方の前記版胴に前記副画像を振り分けるような分版パラメータの自動設定の機能を実現させるための分版プログラム。
【発明の詳細な説明】
【技術分野】
【０００１】
本発明は、印刷データに基づいて製版処理した２枚の孔版原紙をインク色の異なる２つの版胴にそれぞれ巻装し、該版胴に印刷用紙を圧接させて孔版印刷をする孔版印刷システムに係り、特に原稿画像情報を特定の目的で色別に２つに分版して印刷を行う際の作業が効率的で印刷の失敗が起きにくい孔版印刷システム、製版印刷手段の制御手段及び分版プログラムに関するものである。
【背景技術】
【０００２】
下記特許文献１に開示された孔版印刷装置は、異なる色彩のインクで印刷を行う２つの版胴を備えており、印刷データに基づいて製版処理部で分版して作成した孔版原紙を各版胴に巻装し、前記複数の版胴に印刷用紙を圧接させて２つの孔版印刷処理部で印刷を行うことで、所望の２色印刷を行えるものである。この孔版印刷装置を制御するユーザＰＣにプリンタドライバを読み込めば、各版胴を用いて印刷するときの印刷インク色を登録して、使用可能なインク色情報を記憶しておくことができ、また各版胴を用いた印刷を行うときの印刷インク色を示すインク色情報と各版胴とを対応づけて指定することができ、さらに、この指定機能により作成された各版胴毎のインク色指定情報の内容を表示することができる。従って、この孔版印刷装置によれば、複数の版胴が交換可能な孔版印刷装置でありながらインク色管理を容易に行える。
【特許文献１】特開２００２−８６８８５号公報
【０００３】
上述したような孔版印刷装置において、フルカラーの写真等を原稿として印刷する場合には、例えば赤と黒の２色で印刷を行うとすると、フルカラーの写真等を赤黒２色に分版し、印刷時には写真中の黒系の部分は黒色で印刷し、赤系の部分は赤色で印刷し、その他の色系の部分は赤色と黒色を重ねて印刷することにより、フルカラー印刷には及ばないものの、相当の表現力で前記フルカラー写真を赤黒２色による擬似カラー画像として形成することができる。
【０００４】
また、上述したような孔版印刷装置において、文字を原稿として印刷する場合には、有彩色の文字は一方の版胴に該当する赤色のインクで印刷するものとし、無彩色の文字は他方の版胴に該当する黒色のインクで印刷するものとし、それぞれ孔版原紙を製版して当該版胴に巻装し、一枚の印刷用紙を両版胴で連続して印刷すれば上記２色で文字画像を形成することができる。
【０００５】
そして、上述したような孔版印刷装置を用いた画像形成において、原稿のいずれの部分をいずれの版胴に振り分けるか、すなわち原稿画像中のいずれの色の部分をいずれの印刷色の版胴に振り分けるかの操作を分版と呼ぶが、その分版のパラメータ（設定）には上述したような組み合わせの他、原稿画像をＲＧＢの３色の閾値で分解して読み取り、例えば青系の画像は黒の版胴に振り分け、赤系の画像は赤の版胴に振り分けるというものもありうる。
【０００６】
このような２色印刷可能な孔版印刷装置を用いれば、上記擬似カラー印刷以外の使用方法として、異なる２色を特定の目的に応じて使い分けて印刷すると便利な場合（特定目的印刷と呼ぶ）がある。例えば、学校等の教育機関で試験問題と解答付きの試験問題を印刷する場合において、試験問題のみの印刷は黒色で行い、解答付きの試験問題の印刷は試験問題部分は黒色で解答部分は赤色で行いたいという要望がある（このような試験問題についての特定目的印刷を特にドリル印刷と呼ぶ）。
【発明の開示】
【発明が解決しようとする課題】
【０００７】
ところが、上記従来の２色印刷の孔版印刷装置においてドリル印刷を行う場合には、前記分版パラメータの設定を使用者が手動で行っていたため、設定忘れや設定ミスによる印刷の失敗が多いという問題があった。
【０００８】
例えば、有彩色を赤の一方の版胴とし、無彩色を黒の他方の版胴とする設定に誤りがあれば、１色で印刷したい部分が２色で印刷されたり、逆に２色で印刷したい部分を１色で印刷してしまう失敗が生じてしまう。
【０００９】
また、プリンタドライバ上では、画像データを文字データ、イラストデータ、写真データと３種類に区別することが可能であり、それぞれについて前記パラメータ設定を手動で行うことが可能である。しかし、通常の当初設定（デフォルト）においては、写真データの場合は、前述したように２色印刷の孔版印刷装置においても黒色印刷、赤色印刷、黒赤両色の重ね印刷による擬似カラーにより表現力豊かな画像形成ができるように、赤色と黒色の２色に分版されるようにパラメータ設定されていた。
【００１０】
従って、黒色で形成された試験問題の解答欄に解答が赤色で形成されており、さらに試験問題中にフルカラーの写真が含まれているような原稿を上記ドリル印刷したい場合には、写真画像についてのパラメータの設定を忘れると、カラー写真画像中には有彩色も無彩色も含まれているので、印刷結果には次のような問題が生じてしまう。すなわち、黒色で試験問題だけ印刷した用紙には写真中の無彩色部分に分版された画像が含まれているが、赤成分がないので問題の一部である写真を正しく再現したものとはなっていないという不都合が生じる。また解答だけを赤で印刷しようとすると、解答は赤で印刷されるが、この解答とともに、写真画像の赤に分版された成分も印刷されてしまい、解答ではなく問題である写真が不完全な状態で再現されてしまうという不都合が生じる。なお、問題と解答の両方を印刷すべき印刷用紙については、問題は黒色で印刷され、解答は赤色で印刷され、問題の写真は擬似カラーで再現することができる。
【００１１】
このように、前記従来の孔版印刷装置によれば、文字データと写真データのそれぞれについて前記パラメータ設定を手動で行うことが可能であり、それぞれの設定において画像の色と２つの版胴との組み合わせが多岐にわたるため、その分版の結果によって得られる画像がどのようなものとなるかが予想しにくく、設定忘れしない場合でも結果として設定ミスによる印刷の失敗が多いという問題があった。
【００１２】
本願発明は、このような不都合を解消するためになされたものであり、２色印刷が可能な孔版印刷装置における前記ドリル印刷のような特定目的印刷のための分版パラメータの設定を容易に行うことができるようにすることを目的としている。
【課題を解決するための手段】
【００１３】
請求項１に記載された孔版印刷システムは、
孔版原紙を製版する製版部と前記製版部で製版された孔版原紙がそれぞれ巻装されて明度が異なる２種類のインクの各々で印刷を行う２つの版胴を有する製版印刷手段と、前記製版印刷手段を制御する制御手段とを備えた孔版印刷システムにおいて、
前記制御手段は、
無彩色からなる主画像と有彩色からなる副画像で構成される原稿画像の印刷を行うに際し、
前記主画像のみが印刷された部分印刷物及び前記主画像と前記副画像が同一印刷用紙上に印刷された全部印刷物の双方を得る特定目的を選択した場合に、
明度が低いインクで印刷を行う一方の前記版胴に前記主画像を振り分けるとともに、明度が高いインクで印刷を行う他方の前記版胴に前記副画像を振り分けるような分版パラメータの設定を自動的に行うように構成されたことを特徴としている。
【００１４】
請求項２に記載された孔版印刷システムは、
孔版原紙を製版する製版部と前記製版部で製版された孔版原紙がそれぞれ巻装されて明度が異なる２種類のインクの各々で印刷を行う２つの版胴を有する製版印刷手段と、前記製版印刷手段を制御する制御手段とを備えた孔版印刷システムにおいて、
前記制御手段は、
無彩色からなる主画像と有彩色からなる副画像と無彩色と有彩色を含む色画像とで構成される原稿画像の印刷を行うに際し、
前記主画像及び前記色画像が印刷された一部印刷物及び前記主画像と前記色画像と前記副画像が同一印刷用紙上に印刷された全部印刷物の双方を得る特定目的を選択した場合に、
明度が低いインクで印刷を行う一方の前記版胴に前記主画像と前記色画像を振り分けるとともに、明度が高いインクで印刷を行う他方の前記版胴に前記副画像を振り分けるような分版パラメータの設定を自動的に行うように構成されたことを特徴としている。
【００１５】
請求項３に記載された製版印刷手段の制御手段は、
孔版原紙を製版する製版部と前記製版部で製版された孔版原紙がそれぞれ巻装されて明度が異なる２種類のインクの各々で印刷を行う２つの版胴を有する製版印刷手段を制御するための制御手段において、
前記制御手段は、
無彩色からなる主画像と有彩色からなる副画像で構成される原稿画像情報の印刷を行うに際し、
前記主画像のみが印刷された部分印刷物及び前記主画像と前記副画像が同一印刷用紙上に印刷された全部印刷物の双方を得る特定目的を選択した場合に、
明度が低いインクで印刷を行う一方の前記版胴に前記主画像を振り分けるとともに、明度が高いインクで印刷を行う他方の前記版胴に前記副画像を振り分けるような分版パラメータの設定を自動的に行うように構成されたことを特徴としている。
【００１６】
請求項４に記載された製版印刷手段の制御手段は、
孔版原紙を製版する製版部と前記製版部で製版された孔版原紙がそれぞれ巻装されて明度が異なる２種類のインクの各々で印刷を行う２つの版胴を有する製版印刷手段を制御するための制御手段において、
前記制御手段は、
無彩色からなる主画像と有彩色からなる副画像と無彩色と有彩色を含む色画像とで構成される原稿画像の印刷を行うに際し、
前記主画像及び前記色画像が印刷された一部印刷物及び前記主画像と前記色画像と前記副画像が同一印刷用紙上に印刷された全部印刷物の双方を得る特定目的を選択した場合に、
明度が低いインクで印刷を行う一方の前記版胴に前記主画像と前記色画像を振り分けるとともに、明度が高いインクで印刷を行う他方の前記版胴に前記副画像を振り分けるような分版パラメータの設定を自動的に行うように構成されたことを特徴としている。
【００１７】
請求項５に記載された分版プログラムは、
孔版原紙を製版する製版部と前記製版部で製版された孔版原紙がそれぞれ巻装されて明度が異なる２種類のインクの各々で印刷を行う２つの版胴を有する製版印刷手段を制御手段によって制御するための分版プログラムにおいて、
前記制御手段が前記製版印刷手段を制御し、無彩色からなる主画像と有彩色からなる副画像で構成される原稿画像の印刷を行うに際し、
前記主画像のみが印刷された部分印刷物及び前記主画像と前記副画像が同一印刷用紙上に印刷された全部印刷物の双方を得る特定目的が選択された場合に、
前記制御手段に、
明度が低いインクで印刷を行う一方の前記版胴に前記主画像を振り分けるとともに、明度が高いインクで印刷を行う他方の前記版胴に前記副画像を振り分けるような分版パラメータの自動設定の機能を実現させることを特徴としている。
【００１８】
請求項６に記載された分版プログラムは、
孔版原紙を製版する製版部と、前記製版部で製版された孔版原紙がそれぞれ巻装されて明度が異なる２種類のインクの各々で印刷を行う２つの版胴を有する製版印刷手段を制御手段によって制御するための分版プログラムにおいて、
前記制御手段が前記製版印刷手段を制御し、無彩色からなる主画像と有彩色からなる副画像と無彩色と有彩色を含む色画像とで構成される原稿画像の印刷を行うに際し、
前記制御手段に、
前記主画像及び前記色画像が印刷された一部印刷物及び前記主画像と前記色画像と前記副画像が同一印刷用紙上に印刷された全部印刷物の双方を得る特定目的を選択した場合に、
明度が低いインクで印刷を行う一方の前記版胴に前記主画像と前記色画像を振り分けるとともに、明度が高いインクで印刷を行う他方の前記版胴に前記副画像を振り分けるような分版パラメータの自動設定の機能を実現させることを特徴としている。
【００１９】
なお、上記の構成において、原稿画像中の無彩色からなる主画像とは例えば黒色で形成された文字画像を意味し、有彩色からなる副画像とは例えば赤色で形成された文字画像を意味し、無彩色と有彩色を含む色画像とは例えばカラーのイラスト画像や写真画像を意味する。
また、「明度」とは、反射率の高い白色面を基準にした明るさを意味する。従って、明度が高いほど白に近づき、明度が低いほど黒に近づく。
また、「無彩色」とは、白、灰、黒の色味を全く持たない色を意味し、「有彩色」とは赤、青、緑などの色味を持つすべての色を意味する。
【発明の効果】
【００２０】
本発明によれば、無彩色からなる主画像と有彩色からなる副画像で構成される原稿画像を孔版原紙に製版して印刷する際、主画像のみが印刷された部分印刷物と、主画像と副画像が同一印刷用紙上に印刷された全部印刷物の双方を得るための特殊印刷パターン（又は係る特殊目的）を装置上乃至ソフトウエア上にて選択した場合に、明度が低いインクで印刷を行う一方の版胴に主画像を振り分け、明度が高いインクで印刷を行う他方の版胴に副画像を振り分けるように分版パラメータの設定を自動的に行うことができるので、画像の各部分と２つの版胴との組み合わせが多岐にわたるために分版の結果得られる印刷画像の予想がつきにくい場合であっても、結果として設定ミスによる印刷の失敗がなく、上記特殊な印刷パターンを実現して上記目的を確実に達成することができるという効果がある。
【００２１】
また、本発明によれば、無彩色からなる主画像と有彩色からなる副画像と無彩色と有彩色を含む色画像（例えばカラー写真やカラーイラスト等）とで構成される原稿画像を孔版原紙に製版して印刷する際、主画像及び色画像が印刷された一部印刷物及び主画像と色画像と副画像が同一印刷用紙上に印刷された全部印刷物の双方を得るための特殊印刷パターン（又は係る特殊目的）を装置上乃至ソフトウエア上にて選択した場合に、明度が低いインクで印刷を行う一方の版胴に主画像と色画像を振り分け、明度が高いインクで印刷を行う他方の版胴に副画像を振り分けるように分版パラメータの設定を自動的に行うことができるので、写真、イラスト、文字が混在した原稿画像の各部分と２つの版胴との組み合わせが多岐にわたるために分版の結果得られる印刷画像の予想がつきにくい場合であっても、結果として設定ミスによる印刷の失敗がなく、上記特殊な印刷パターンを実現して上記目的を確実に達成することができるという効果がある。
【００２２】
すなわち、本発明の構成上の特徴による効果を従来と比較して図７で説明すると、本発明は同図（ａ）に示すように、単に特定印刷である例えば「ドリル印刷」を指定するだけで（Ａ１）、最適な分版パラメータを自動的に設定し（Ａ２）、すぐに印刷することができ（Ａ３）、その印刷結果を確認して（Ａ４）、分版結果が正しいか否か確認することができるが（Ａ５）、その結果は最適なパラメータの自動設定の結果であるから、判断（Ａ５）におけるＮＯの帰還線ＡＸが生じる可能性が低く有利である。
【００２３】
これに対し、従来例は同図（ｂ）に示すように、まず文字・イラストの分版パラメータを手動で設定し（Ｂ１）、次に写真の分版パラメータを手動で設定し（Ｂ２）、そして印刷を行い（Ｂ３）、その印刷結果を確認し（Ｂ４）、分版結果が正しいか否か確認することとなるが（Ｂ５）、その結果は、文字データと写真データのそれぞれのパラメータ設定において画像の色と２つの版胴の組み合わせが多岐にわたるため煩雑でミスが生じ易いので、判断（Ｂ５）におけるＮＯの帰還線ＡＸが生じる可能性が本発明よりも高く不利である。
【発明を実施するための最良の形態】
【００２４】
以下、本発明を実施するための最良の形態を図面を参照しながら具体的に説明する。
Ｉ．第１の実施の形態（図１〜図７）
図１は製版機能も備えた第１の実施形態（以下本例と呼ぶ）の孔版印刷装置（製版印刷手段）の全体概略構成図であり、図２は本例の孔版印刷装置の制御系統を示すブロック図であり、図３は本例の孔版印刷装置の制御系統における分版設定の選択画面を示す図であり、図４は本例の孔版印刷装置の制御系統における分版設定の選択画面において「特定印刷」たる「ドリル印刷」を選択した場合の画面を示す図であり、図５は本例において「特定印刷」時に分版設定が自動的に行われる場合の手順を示す流れ図であり、図６は本例において原稿データを２つのドラムごとに分版した結果を模式的に示す図であり、図７は文字・イラスト及び写真を有する原稿の分版を示す流れ図であって、同図中（ａ）は本発明における自動分版の手順を示し、同図中（ｂ）は従来の装置における手動分版の手順を示している。
なお、以下の説明においては、本例の孔版印刷装置１０が有する２つの版胴（ドラム）を、図面中では丸付き数字の１，２で表すが、明細書中では使用可能な記号の都合上、それぞれ括弧付き数字の(1),(2) で表すこととする。
【００２５】
図１乃至図２に示すように、本例の孔版印刷装置１０は、原稿読取部１１と、製版部１２と、色彩の異なる２種類のインクの各々を使用して印刷を行う２個の版胴(1) (2) を備えた印刷部１３と、給紙部１４と、排紙部１５と、２個の版胴(1) (2) に対応して設けられた２カ所の排版部１６，１７と、操作パネル１８と、制御部１９とを有しており、また本例の孔版印刷装置１０には、ユーザーが使用するパソコン（ＰＣ）等が制御手段２０として接続されており、全体として孔版印刷システムを構成している。
【００２６】
１．原稿読取部１１
図１及び図２に示す原稿読取部１１は、装置本体の上部に設けられ、印刷に供される原稿を電気信号として読み取る。この読み取った情報は、第１版胴（版胴(1) 又はドラム(1) ）の色インクと、第２版胴（版胴(2) 又はドラム(2) ）の色インクに、それぞれ対応する版の各画像データとして分けて生成される。又、画像データは所定の指令（拡大、縮小等）に基づいて加工可能である。
【００２７】
２．製版部１２
図１及び図２に示す製版部１２は、第１版胴(1) と第２版胴(2) の間で、水平移動自在に設けられた製版ユニット（不図示）を有する。
【００２８】
製版ユニットは、ロール状に巻き取られた長尺状の孔版原紙を収容する原紙収容部（不図示）と、この原紙収容部から搬送された孔版原紙に対して製版を行うサーマルヘッド（不図示）と、このサーマルヘッドの対向位置に配置され、ライトパルスモータの駆動力により回転するプラテンロール（不図示）と、このプラテンロール及び前記サーマルヘッドに対し孔版原紙の搬送方向の下流に配置され、ライトパルスモータの駆動力により回転する原紙送りロール（不図示）と、この原紙送りロールが圧接するガイド板（不図示）と、前記原紙送りロール及び前記ガイド板と前記プラテンロール及び前記サーマルヘッドとの間に配置され、製版済みの孔版原紙をカットする原紙カッタ（不図示）を有する。
【００２９】
３．印刷部１３
図１及び図２に示す印刷部１３は、メインモータにべルトを介して連結され、このメインモータによって回転駆動される第１版胴(1) （版胴(1) 又はドラム(1) ）と第２版胴(2) （版胴(2) 又はドラム(2) ）を有している。この第１版胴(1) と第２版胴(2) の外周面は，インク透過性に優れ且つ剛性の高い材料からなり、製版部１２で製版された孔版原紙が、先端部をクランプ手段（不図示）により保持された状態で、この第１版胴(1) と第２版胴(2) が回転することにより各々の外周面に巻装されるようになっている。
【００３０】
第１版胴(1) と第２版胴(2) の内部には、周壁の内周面に接するインク供給ローラ（不図示）と、インク供給ローラに所定量のインクを供給するドクターローラ（不図示）と、ドクターローラとインク供給ローラの間に所定量のインクを供給するインク供給管（不図示）とが設けられている。
【００３１】
また、第１版胴(1) と第２版胴(2) のそれぞれの下方には、第１版胴(1) と第２版胴(2) と平行にプレスローラ２１，２２が回転可能な状態で設けられている。このプレスローラ２１，２２は、メインモータにより駆動されるプレスカムに案内されて、第１版胴(1) と第２版胴(2) の回転に同期してこの第１版胴(1) と第２版胴(2) に近接・離間する両方向に移動操作可能となっている。またこのプレスローラに対して個々にプレス圧可変モータ２３，２４が設けられており、これを個々に駆動することで、第１版胴(1) と第２版胴(2) に対するプレス圧を個々に調整できるようになっている。
【００３２】
印刷部１３では、まず始めに給紙部１４のタイミングローラ１４ａによって供給された印刷用紙Ｐを第１版胴(1) とそのプレスローラ２１との間に挟み込み、タイミングローラ１４ａと第１版胴(1) とプレスローラ２１の回転に伴って印刷用紙Ｐが搬送される間に、第１版胴(1) の外周面に巻装されたマスタを介して製版パターンに対応して印刷用紙にインクを付着させ、印刷用紙に画像を印刷するようになっている。
【００３３】
次に、第１版胴(1) で印刷された印刷用紙Ｐは、第１版胴(1) と第２版胴(2) の間に設けられた中間搬送部２５（後に詳述する）に搬送され、第２版胴(2) とそのプレスローラ２２との間にその先端が挟み込まれ、中間搬送部２５と第２版胴(2) とプレスローラ２２の回転に伴って印刷用紙Ｐが搬送される間に、第２版胴(2) の外周面に巻装されたマスタを介して製版パターンに対応して印刷用紙にインクを付着させ、印刷用紙Ｐに画像を印刷するようになっている。
【００３４】
なお、第１版胴(1) と第２版胴(2) は常に同期・連動して駆動されるとは限らず、一方の版胴のインク色しか必要ない場合には他方の版胴は駆動せず、駆動しない版胴のプレスモータは下降位置に留まる。
【００３５】
４．給紙部１４
図１に示す給紙部１４は、給紙台１４ｂに積載された印刷用紙Ｐを給紙ローラ１４ｃ及び紙捌きローラ１４ｄによって一枚ずつ取り出し、取り出した印刷用紙Ｐをタイミングローラ１４ａによって、第１版胴(1) の回転に同期させて第１版胴(1) とプレスローラ２１との問に送り込む構造となっている。
【００３６】
５．排紙部１５
図１に示す排紙部１５は、印刷用紙Ｐが第２版胴(2) によって印刷された場合には、画像が印刷された印刷用紙Ｐを図示しない用紙分離爪によって第２版胴(2) から引き剥がし、一対のプーリとこれらの間に架設された無端搬送ベルトとを有する搬送手段２６によって、第２版胴(2) から引き離した印刷物Ｐを搬送して排紙台１５ａ上に排出する構造となっている。印刷用紙Ｐが第１版胴(1) で印刷されて第２版胴(2) は駆動されなかった場合には、印刷済みの印刷用紙は中間搬送部２５で搬送されて第２版胴(2) とそのプレスローラ２２の隙間を通過し、搬送手段２６に搬送されて排紙台１５ａ上に排出される。なお、搬送手段２６の前記無端搬送ベルトには多数の空気通過孔が設けられており、無端搬送ベルトの下方に設けられたサクションファンモータが上方の空気を吸引することで、印刷物が無端搬送ベルト上に保持された状態で搬送されるようになっている。
【００３７】
６．中間搬送部２５
図１に示す中間搬送部２５は、画像が印刷された印刷用紙Ｐを図示しない用紙分離爪によって第１版胴(1) から引き剥がし、一対のプーリとこれらの間に架設された無端搬送ベルトとを有する搬送手段により該印刷用紙Ｐを第２版胴(2) の回転に同期させて第２版胴(2) とそのプレスローラ２２との問に送り込むことができる構造となっている。この無端搬送ベルトには多数の空気通過孔が設けられており、無端搬送ベルトの下方に設けられたサクションファンモータが上方の空気を吸引することで、印刷物が該無端搬送ベルト上に保持された状態で搬送されるようになっている。
【００３８】
７．排版部１６，１７
図１に示す排版部１６，１７は、第１版胴(1) 及び第２版胴(2) に対応してそれぞれ設けられている。第１排版部１６及び第２排版部１７は、使用済みのマスタを排版爪によって第１版胴(1) や第２版胴(2) の外周面から引き剥がし、この使用済みのマスタを上下一対の排版ローラによって搬送して排版箱内に収納する構造となっている。上下一対の排版ローラのうち上側の排版ローラは、ベルトを介して排版モータに連結されており、この排版モータにより回転駆動されるようになっている。また、上下一対の排版ローラのうち下側の排版ローラは、ギヤを介して上側の排版ローラに連結されており、上側の排版ローラと共に回転駆動されるようになっている。
【００３９】
排版ローラの近傍には、ガイドローラがそれぞれ設けられており、これら排版ローラと各ガイドローラとの間に、搬送ガイドベルトがそれぞれ架設されている。従って、排版モータによって上下一対の排版ローラが回転駆動されれば、搬送ガイドベルトが駆動され、排版爪によって第１版胴(1) や第２版胴(2) の外周面から引き剥がされた使用済みのマスタが、搬送ガイドベルトによって案内されて、第１排版部１６及び第２排版部１７の各排版箱へと導かれるようになっている。
【００４０】
８．操作パネル部１８
図１及び図２に示す操作パネル部１８には、印刷動作をスタートさせるスタートキー、印刷動作をストップさせるストップキー、印刷枚数を入力するためテンキー、テンキーから入力された印刷枚数および印刷スタート後の１枚印刷終了の情報（印刷終了信号）をもとに残印刷枚数を表示するための７セグメントＬＥＤ等を用いた印刷枚数表示手段、後述する特定印刷（ドリル印刷）機能を含めた各種機能設定を孔版印刷装置１０側にて行う液晶タッチパネル部等が配置されている。
【００４１】
９．制御手段２０（例えばユーザーが使用するパソコン等）
図２に示すように、本例の孔版印刷装置１０の外部インターフェイス部２９には、制御手段２０の外部インターフェイス部３０が接続されており、孔版印刷装置１０と制御手段２０は互いに情報のやりとりができるようになっている。この制御手段２０は、具体例としてはユーザーが使用するパソコン（ＰＣ）などであり、孔版印刷装置１０の原稿読取部１１から取り込んだ原稿情報や、制御手段２０に直接入力された原稿情報に種々の設定を加えるとともに、前記孔版印刷装置１０に製版又は製版及び印刷を指示して実行させるための手段である。
【００４２】
制御手段２０は、各種内容を表示するための出力部３１（モニター部）、各種操作を行うための入力部３２（キーボード、マウス等）、孔版印刷装置１０の制御部１９とネットワーク回線３３を介したデータ・命令・各種情報の送受信をする外部インターフェイス部３０、孔版印刷装置１０を制御するためのプリンタドライバ３４（プリンタ制御プログラム格納部）、画像データを格納するデータ部３５（メモリ部）、ユーザの操作入力に応じてプリンタドライバ３４を起動して孔版印刷装置１０に対するデータの送信・プリンタ制御命令の送信等を行う制御部３６（中央処理部）、アプリケーションプログラムの格納部３７等を有している。
【００４３】
制御手段２０の制御部３６は、プリンタドライバ３４を機能させることにより、プリンタドライバ３４のインク色登録部３８に第１版胴(1) 及び第２版胴(2) に対応したインク色登録処理の機能を実行させ、また設定処理部３９に分版設定処理の機能を実行させるとともに、これらの処理に必要な表示を出力部３１に行わせ、ユーザの操作に応じて各種処理を実行することができる。
【００４４】
そして、前記孔版印刷装置１０の制御部１９は、ネットワーク回線３３を介してユーザが操作する制御手段２０（例えばユーザが使用するパソコン）と接続され、該制御手段２０から画像データ及びプリンタ制御命令を読み込むことが可能な構成となっており、外部にある前記制御手段２０にインストールされたプリンタドライバ３４が生成したプリンタ制御命令に従い、画像データの入力、製版処理の開始及び終了、印刷処理の開始及び終了を制御することができるが、その時には出力部３１に、各種設定画面を表示させることができる。
【００４５】
例えば、孔版印刷装置１０で使用可能なインク色の登録処理、第１版胴(1) （ドラム(1) ）と第２版胴(2) （ドラム(2) ）に対するインク色の設定処理、印刷用紙のサイズ等の印刷用紙設定、印刷枚数や連続モードのＯＮ／ＯＦＦを決める印刷設定等を行うためのメイン設定画面を出力部３１に表示させることができる。
【００４６】
また、ハーフトーンの処理手法、明るさ、文字処理、強調処理等を設定するためのイメージ処理設定画面を出力部３１に表示させることができる。
【００４７】
また、分版処理設定画面を出力部３１に表示させることができる。
図３に示す、本例の制御手段２０における分版処理設定画面では、１色プリントと２色プリントが選択できるようになっており、図３示す２色プリント選択状態では、第１版胴(1) （ドラム(1) ）及び第２版胴(2) （ドラム(2) ）の各インク色が選択欄４０，４１で選択されて表示され、かつアイコン４２，４３によっても各版胴(1) (2) ( ドラム(1) (2) ）のインク色が表示されている。
【００４８】
また、図３に示す２色プリント選択状態では、各版胴(1) (2) についての製版処理と印刷処理の適用・不適用が選択欄４４で選択されて表示されており、本例では両版胴(1) (2) ともに「製版・印刷」が選択されている。
【００４９】
また、図３に示す分版処理設定画面では、文字・イラストと、写真の双方について、分版処理のパターンの選択肢がそれぞれ複数ずつ用意され、それぞれの選択欄４５，４６で任意に選択できるようになっている。ここで分版とは、原稿画像中のいずれの色の部分をいずれの印刷色の版胴に振り分けるかを示すパラメータを設定する操作を意味するが、本例ではアプリケーションによってプリンタドライバ３４に送られてきた画像データにはその属性のデータも付随しているので、画像データの種類は識別可能であり、従って文字・イラストの画像と、写真の画像を区別することができ、画像データの属性に従って各別の分版処理をすることができる。実際には、文字画像、イラスト画像、写真画像はそれぞれ画像データの属性に従って区別できるが、本例ではイラストは単色であることが前提となっており、文字と同様の扱いとされている。
すなわち本例では、文字・イラストの画像については、選択欄４５中に示すように、文字・イラストの画像中の無彩色部分は版胴(1) （黒インク）に振り分け、有彩色部分は版胴(2) （赤インク）に振り分ける設定とされている。この設定は、格別の指示がなければ自動的になされるデフォルト値である。また、写真画像については、「発明が解決しようとする課題」で説明したように、選択欄４６中に示すようにデフォルトとして写真画像中の黒部分は版胴(1) （黒インク）に振り分け、赤系部分は版胴(2) （赤インク）に振り分ける設定とされている。
【００５０】
さて、図３に示す分版処理設定画面では、特定目的の印刷として、「ドリル印刷」を指定するチェックボックス５０が用意されている。
このドリル印刷とは、「背景技術」の項で説明したように、２色印刷可能な孔版印刷装置（例えば本例のような赤黒印刷のできる孔版印刷装置１０）を用い、学校等の教育機関で試験問題と解答付きの試験問題を印刷する場合において、試験問題のみの印刷は黒色で行い、解答付きの試験問題の印刷は試験問題部分は黒色で解答部分は赤色で印刷するというものである。しかし、このような場合に、分版の設定が煩雑で印刷結果が失敗だったり、また問題中にカラーの写真画像がある場合等に問題文の写真画像が正しく印刷されないといった前述したような問題が生じていたのである。
【００５１】
図３に示す分版処理設定画面において、「ドリル印刷」のチェックボックス５０をチェックすると、図２において、制御部３６は、アプリケーションプログラム３７に従ってプリンタドライバ３４の設定処理部３９に格納された「ドリル印刷」用の分版パラメータを読み出し、文字・イラストと写真の双方の分版を予め定められたパラメータに設定する。従って、図４に示すように「ドリル印刷」のチェックボックス５０をチェックした状態では各版胴(1) (2) の色が選択欄４０，４１及びアイコン４２，４３に表示されるのみであり、出力部３１の画面上では製版印刷設定はできなくなり、また文字・イラスト画像及び写真画像の各パラメータの手動設定もできなくなる。
【００５２】
ここで、自動的に設定される「ドリル印刷」の分版パラメータは、文字・イラスト画像については無彩色が版胴(1) （黒）、有彩色が版胴(2) （赤）であり、写真画像については版胴(1) （黒）である。すなわち、写真画像は従来のデフォルトのように赤黒に分版することはない。これは、「ドリル印刷」において写真が現れるのは黒で印刷すべき問題文の方だけであり、赤で印刷する回答の方に写真がくることはないであろうとの想定に基づいて設定したものである。このように写真画像を黒のみに分版しても、フルカラーの写真画像を構成するＲＧＢの各画素には濃度が認識できるので、プリンタドライバ３４がこの画素ごとの濃度を階調情報として認識して黒の濃度を変化させれば、カラー写真画像をモノクロ画像として製版・印刷させることができ、画像再現上の問題は生じない。
【００５３】
図５は、本例において「ドリル印刷」時に分版設定が自動的に行われる場合の制御手段２０における制御手順を示す流れ図である。まず、印刷設定が開始されると（Ｓ１）、制御部３６は特定印刷指示（「ドリル印刷」指示）があるか確認を行い（Ｓ２）、同指示がなければ（Ｓ２，ＮＯ）、印刷指示待ち（Ｓ５）となり、同指示があれば（Ｓ２，ＹＥＳ）、指示された特定印刷指示（「ドリル印刷」指示）の分版パラメータをプリンタドライバ３４の設定処理部３９から読み込み（Ｓ３）、これを孔版印刷装置１０の制御部１９に設定して（Ｓ４）、印刷指示を待つ（Ｓ５）。
【００５４】
図６は、本例において「ドリル印刷」の対象となる原稿データを２つのドラム(1) (2) ごとに分版した結果を模式的に示す図であり、原稿データは黒で印刷された問題文Ｑ（「問１…答  」等）に赤で印刷された解答（「…」）Ａが記入されたものであり、ドラム(1) （版胴(1) ）の製版結果は問題文Ｑだけを黒で印刷するためのものであり、ドラム(2) （版胴(2) ）の製版結果は解答Ａだけを赤で印刷するためのものである。
【００５５】
従って、印刷時には、問題文Ｑだけを印刷する場合には、ドラム(1) のみを駆動して黒のみで印刷すればよく、また解答Ａ入り問題文Ｑを印刷する場合には同一の印刷用紙にドラム(1) (2) で連続的に印刷すればよい。
【００５６】
すなわち、「ドリル印刷」において問題文Ｑだけを黒で印刷するために第１版胴(1) のみで印刷動作を行う場合は、第２版胴(2) のプレス圧可変モータ２４を駆動し、プレスローラ２２を第２版胴(2) と離間させた状態にしておき、給紙部１４のタイミングローラ１４ａによって供給された印刷用紙Ｐを第１版胴(1) のプレスローラ２１との間に挟み込み、これらと第１版胴(1) とプレスローラ２１の回転に伴って印刷用紙Ｐが搬送される間に、第１版胴(1) の外周面に巻装されたマスタを介して印刷用紙Ｐに黒インクを付着させて黒で問題文Ｑを印刷し、第１版胴(1) とプレスローラ２１、及び中間搬送部２５によって印刷用紙Ｐを排紙部１５まで搬送する。
【００５７】
また、「ドリル印刷」において問題文Ｑを黒で、解答Ａを赤で印刷するために、第１版胴(1) 及び第２版胴(2) の両方で印刷動作を行う場合は、第１版胴(1) のプレス圧可変モータ２３を駆動し、第１版胴(1) とそのプレスローラ２１で印刷用紙Ｐを挟んで駆動搬送させ、印刷用紙Ｐに黒インクで問題文Ｑを印刷し、続けて該印刷用紙Ｐを第２版胴(2) とそのプレスローラ２２との間に所定のタイミングで挟み込んで駆動搬送させ、この印刷用紙Ｐにさらに赤インクで解答Ａを印刷し、赤字の解答Ａが入った黒字の問題文Ｑの印刷物を得る。
【００５８】
図６に示した例では原稿にフルカラーの写真は入っていないが、入っていたとしても、本例によれば、自動的に設定された「ドリル印刷」の分版パラメータにより、写真画像のデータは版胴(1) （黒）に振り分けられるので、問題文Ｑのみの印刷物及び解答Ａ入り問題文Ｑの双方に再現性のよいモノクロの写真画像として印刷されることとなり、従来のような問題は生じない。
【００５９】
以上説明した例では、「特定目的」の印刷として問題文Ｑを黒で印刷し、解答Ａを赤で印刷し、解答Ａ入りと解答Ａ無しの問題文Ｑをそれぞれ印刷する「ドリル印刷」を例示したが、画像中の主画像のみが印刷された部分印刷物と、主画像と副画像が同一印刷用紙上に印刷された全部印刷物の双方を得んとするものであれば、特定目的の印刷として本発明の対象とすることができる。
【００６０】
また、そのような「特定目的」の印刷における分版パラメータの設定は、上記実施形態に示したものだけではなく、原稿の版分けも無彩色・有彩色だけでなく、黒と赤や、ＲＧＢにおける赤系、青系、緑系によってもよい。また、振り分ける対象である版胴の印刷色も必ずしも赤と黒のみでなくてもよい。
【００６１】
なお、本例では、ドリル印刷の目的・実情から考えて写真画像を黒の版胴に振り分ける分版を行ったが、「特定目的」の内容によっては、画像中の写真画像は黒以外の色（例えば赤）の版胴に振り分けることも考えられる。
【００６２】
II．第２の実施の形態（図８及び図９）
以下、第２の例を説明するが、孔版印刷装置の機械的構成は第１の例と同一であり、制御手段２０の構成も制御の内容（ソフトウエアの内容）以外のハード上の構成は同一であり、共通部分は必要に応じて第１の例における記載内容を援用して説明を省略する。
前述した第１の例では、イラストは単色であることが前提であり、文字とイラストを同様に扱い、ドリル印刷における分版設定においては文字及びイラストと、カラーの写真画像とを区別していた。しかしながら、カラーのイラスト画像が含まれる原稿の場合には、第１の例のようなドリル印刷では、原稿中にカラーのイラスト画像が含まれていると、このイラスト画像中の有彩色の成分は版胴(2) の赤色に分版されてしまうので、イラストは解答ではなく問題の一部であるにもかかわらず、解答の赤色の文字とともに不完全な赤色成分のみのイラストとして印刷されてしまう。
【００６３】
そこで、第２の例では、第１の例と同様、アプリケーションによってプリンタドライバ３４に送られてきた画像データにはその属性のデータも付随しており、これによって文字、イラスト画像、写真画像を区別することができるので、通常の分版設定画面ではこれら３種類の画像ごとに分版設定ができるようにし、特にドリル印刷を指定した場合には、イラスト画像は写真画像と同様の扱いとなるようにした。
【００６４】
すなわち、図８に示す分版処理設定画面では、文字、イラスト、写真のそれぞれについて、分版処理のパターンの選択肢がそれぞれ複数ずつ用意され、それぞれの選択欄６０，６１，６２で任意に選択できるようになっている。ここで分版とは、原稿画像中のいずれの色の部分をいずれの印刷色の版胴に振り分けるかを示すパラメータを設定する操作を意味するが、本例ではアプリケーションによってプリンタドライバ３４に送られてきた画像データに付随する属性データにより、文字、イラスト、写真の各画像を区別することができ、各別の分版処理をすることができる。
すなわち本例では、文字については、選択欄６０中に示すように、文字画像中の無彩色部分は版胴(1) （黒インク）に振り分け、有彩色部分は版胴(2) （赤インク）に振り分ける設定とされている。また、イラストについては、選択欄６１中に示すようにイラスト画像中の黒部分は版胴(1) （黒インク）に振り分け、赤系部分は版胴(2) （赤インク）に振り分け、それ以外の部分は黒インクと赤インクの混色（重ね合わせ）とするため両版胴に振り分ける設定とされている。写真画像については、選択欄６２中に示すように写真画像中の黒部分は版胴(1) （黒インク）に振り分け、赤系部分は版胴(2) （赤インク）に振り分け、それ以外の部分は黒インクと赤インクの混色（重ね合わせ）とするため両版胴に振り分ける設定とされている。これらの設定は、格別の指示がなければ自動的になされるデフォルト値である。
【００６５】
さて、図８に示す分版処理設定画面では、特定目的の印刷として、「ドリル印刷」を指定するチェックボックス５０が用意されている。
このドリル印刷とは、「背景技術」の項で説明したように、２色印刷可能な孔版印刷装置（例えば本例のような赤黒印刷のできる孔版印刷装置１０）を用い、学校等の教育機関で試験問題と解答付きの試験問題を印刷する場合において、試験問題のみの印刷は黒色で行い、解答付きの試験問題の印刷は試験問題部分は黒色で解答部分は赤色で印刷するというものである。しかし、このような場合に、分版の設定が煩雑で印刷結果が失敗だったり、また問題中にカラーの写真画像やイラスト画像がある場合等に問題文の写真画像やイラストが正しく印刷されないといった前述したような問題が生じてしまう。
【００６６】
図８に示す分版処理設定画面において、「ドリル印刷」のチェックボックス５０をチェックすると、図９において、制御部３６は、アプリケーションプログラム３７に従ってプリンタドライバ３４の設定処理部３９に格納された「ドリル印刷」用の分版パラメータを読み出し、文字、イラスト、写真の各分版を予め定められたパラメータに設定する。従って、図９に示すように「ドリル印刷」のチェックボックス５０をチェックした状態では各版胴(1) (2) の色が選択欄４０，４１及びアイコン４２，４３に表示されるのみであり、出力部３１の画面上では製版印刷設定はできなくなり、また文字、イラスト画像、写真画像の各パラメータの手動設定もできなくなる。
【００６７】
ここで、自動的に設定される「ドリル印刷」の分版パラメータは、文字画像については無彩色が版胴(1) （黒）、有彩色が版胴(2) （赤）であり、イラスト画像と写真画像については版胴(1) （黒）である。すなわち、イラスト画像と写真画像は従来のデフォルトのように赤黒に分版することはない。これは、「ドリル印刷」においてイラストや写真が現れるのは黒で印刷すべき問題文の方だけであり、赤で印刷する回答の方に写真がくることはないであろうとの想定に基づいて設定したものである。このようにイラスト画像や写真画像を黒のみに分版しても、フルカラーのイラスト画像や写真画像を構成するＲＧＢの各画素には濃度が認識できるので、プリンタドライバ３４がこの画素ごとの濃度を階調情報として認識して黒の濃度を変化させれば、フルカラーのイラスト画像や写真画像をモノクロ画像として製版・印刷させることができ、画像再現上の問題は生じない。
【００６８】
「ドリル印刷」時に分版設定が自動的に行われる場合の制御手段２０における制御手順は、第１の例で図５を参照して説明した内容と同様であり、まず、印刷設定が開始されると、制御部３６は特定印刷指示（「ドリル印刷」指示）があるか確認を行い、同指示がなければ印刷指示待ち（Ｓ５）となり、同指示があれば指示された特定印刷指示（「ドリル印刷」指示）の分版パラメータをプリンタドライバ３４の設定処理部３９から読み込み、これを孔版印刷装置１０の制御部１９に設定して（Ｓ４）、印刷指示を待つ（Ｓ５）。
【００６９】
本例によれば、無彩色からなる文字画像と、有彩色からなる文字画像と、無彩色と有彩色を含む例えばカラー写真やカラーイラスト等の色画像とで構成される原稿画像の印刷においてドリル印刷を選択するだけで、黒インクの版胴(1) に無彩色の文字画像と色画像カラーのイラストと写真）を振り分け、赤インクの版胴(2) に有彩色からなる文字画像を振り分けるように分版パラメータの設定を自動的に行うことができるので、写真、イラスト、文字が混在した原稿画像であっても、設定ミスによる印刷の失敗がなく、上記特殊な印刷パターンを実現してドリル印刷の目的を確実に達成できるという効果がある。
【図面の簡単な説明】
【００７０】
【図１】図１は製版機能も備えた第１の実施形態（第１例）の孔版印刷装置の全体概略構成図である。
【図２】図２は第１例の孔版印刷装置の制御系統を示すブロック図である。
【図３】図３は第１例の孔版印刷装置の制御系統における分版設定の選択画面を示す図である。
【図４】図４は第１例の孔版印刷装置の制御系統における分版設定の選択画面において「特定印刷」たる「ドリル印刷」を選択した場合の画面を示す図である。
【図５】図５は第１例において「特定印刷」時に分版設定が自動的に行われる場合の手順を示す流れ図である。
【図６】図６は第１例において原稿データを２つのドラムごとに分版した結果を模式的に示す図である。
【図７】図７は文字・イラスト及び写真を有する原稿の分版を示す流れ図であって、同図中（ａ）は本発明における自動分版の手順を示し、同図中（ｂ）は従来の装置における手動分版の手順を示す図である。
【図８】図８は第２の実施形態（第２例）の孔版印刷装置の制御系統における分版設定の選択画面を示す図である。
【図９】図９は第２例の孔版印刷装置の制御系統における分版設定の選択画面において「特定印刷」たる「ドリル印刷」を選択した場合の画面を示す図である。
【符号の説明】
【００７１】
(1)   第１版胴
(2)   第２版胴
１０  製版印刷手段としての孔版印刷装置
１２  製版部
１３  印刷部
１９  孔版印刷装置の制御部
２０  制御手段
３４  プリンタドライバ
Ｑ  特定目的の印刷としての「ドリル印刷」における原稿の主画像である問題文
Ａ  特定目的の印刷としての「ドリル印刷」における原稿の副画像である解答
【図１】
2006044107.tif 000003
【図２】
2006044107.tif 000004
【図５】
2006044107.tif 000005
【図６】
2006044107.tif 000006
【図７】
2006044107.tif 000007
【図３】
2006044107.tif 000008
【図４】
2006044107.tif 000009
【図８】
2006044107.tif 000010
【図９】
2006044107.tif 000011